(57)【要約】【課題】  肋骨を締めることにより、美しいウエストラインを作る。【解決手段】  ボディシェイパー１に他の部分より緊締力の強い第一強緊締部４と第二強緊締部５を設け、さらに、第一強緊締部４には着用時に肋骨の形状に沿うように４本の伸縮性のテープ８が縫着されている。ボディシェイパー１を着用すると、第二強緊締部５の力によって体が後側に引っ張られて姿勢が矯正され、テープ８が肋骨を内側に締めて、第一強緊締部４の力によってその状態を固定する。これによって、ウエストに括れができ、美しいウエストラインが形成される。【選択図】  図３
2014214393.tif 000002
【特許請求の範囲】
【請求項１】
第一強緊締部及び第二強緊締部と、
前記第一強緊締部及び前記第二強緊締部より緊締力の弱いストラップ部、胸部、
下側部とからなる、
伸縮性生地からなる補整下着において、
前記第一強緊締部は、前側において胸部の下から腹部近傍に至る前側第一強緊締部と、後側において肩甲骨の上側近傍から腰部近傍に至る後側第一強緊締部と、からなり、該前側第一強緊締部は、略斜め方向に伸びやすく、且つ、該後側第一強緊締部は、略横方向に伸びやすく、
前記第二強緊締部は、縦方向に伸び難く、前記ストラップ部の首刳りラインと前記第一強緊締部の間に設けられ、
前記第一強緊締部の肌側には、複数本の伸縮性のテープが、一定の間隔を置いて設けられ、該テープは、前記前側第一強緊締部の腹部近傍から脇部に向かって斜め上に延び、さらに、前記後側第一強緊締部において、脇部から背中の中心部に向かって斜め上に延びている、
補整下着。
【請求項２】
前記前側第一強緊締部において、前記テープに略平行な縞模様が形成され、且つ、前記後側第一強緊締部において、略横方向に縞模様が形成されていることを特徴とする、
請求項１に記載の補整下着。
【請求項３】
前記第二強緊締部の中心部に背側上部を設けたことを特徴とする、請求項１又は２に記載の補整下着。
【発明の詳細な説明】
【技術分野】
【０００１】
本発明は、ウエストの括れをだしてプロポーションを美しく見せるための補整用下着に関する。
【背景技術】
【０００２】
加齢によるウエストの緩みや、前傾姿勢による肋骨の開きにより、ウエストの括れがなくなる。このため、肋骨を締めることによりウエストに括れをだすための補整用下着が種々ある。
【先行技術文献】
【特許文献】
【０００３】
【特許文献１】特許第３５５０３８４号
【発明の概要】
【発明が解決しようとする課題】
【０００４】
特許文献１記載の補整用下着では、肋骨からウエストに至る部分を、伸縮性のある前身頃と後身頃の側部で締めることにより、ウエストに括れを形成している。しかし、この補整下着では、伸縮性のある前身頃が肋骨部分のほとんどを同じ力で締める為、肋骨の各骨にだけ有効に力が働くことがない。また、体の前側からのみ肋骨を締め、後側からは力を与えていないので、肋骨全体に均等に力を及ぼすことが出来ない。
【課題を解決するための手段】
【０００５】
本発明の補整下着は、第一強緊締部及び第二強緊締部と、第一強緊締部及び第二強緊締部より緊締力の弱いストラップ部、胸部、下側部とからなる、伸縮性生地からなる補整下着において、第一強緊締部は、前側において胸部の下から腹部近傍に至る前側第一強緊締部と、後側において肩甲骨の上側近傍から腰部近傍に至る後側第一強緊締部と、からなり、前側第一強緊締部は、略斜め方向に伸びやすく、且つ、後側第一強緊締部は、略横方向に伸びやすく、第二強緊締部は、縦方向に伸び難く、ストラップ部の首刳りラインと第一強緊締部の間に設けられ、第一強緊締部の肌側には、複数本の伸縮性のテープが、一定の間隔を置いて設けられ、テープは、前側第一強緊締部の腹部近傍から脇部に向かって斜め上に延び、さらに、後側第一強緊締部において、脇部から背中の中心部に向かって斜め上に延びている、ことを特徴とする。
【０００６】
また、前側第一強緊締部において、テープに略平行な縞模様が形成され、且つ、後側第一強緊締部において、略横方向に縞模様が形成されているので、適切な着用状態を維持できる。さらに、前記第二強緊締部の中心部に背側上部を設けているので、着用時に拘束感や窮屈感を与えることがない。
【発明の効果】
【０００７】
請求項１記載の発明によれば、身体を後側に引っ張って姿勢を正した状態で肋骨を内側に締め、ウエストに括れを作ることができる。請求項２の発明によれば、滑り止めを設けることにより、身体を動かしても、補整下着が適切な着用位置からずれることが少なくなる。さらに、請求項３に記載の発明によれば、着用時に拘束感や窮屈感を与えることがない。
【図面の簡単な説明】
【０００８】
【図１】本発明のボディシェイパーの第１実施例の正面図である。
【図２】本発明のボディシェイパーの第１実施例の背面図である。
【図３】本発明のボディシェイパーを裏返した状態の正面図である。
【図４】本発明のボディシェイパーを裏返した状態の背面図である。
【図５】人体を後側から見た骨格の一部を示した部分骨格図である。
【図６】人体を前側から見た骨格の一部を示した部分骨格図である。
【発明を実施するための形態】
【０００９】
本発明の実施例を説明する前に、説明に使用する骨の位置を説明する。
【００１０】
肩甲骨は、図５の９で示された箇所であり、肋骨は図５及び図６の１００で示された箇所である。
【実施例１】
【００１１】
図１に示されているのは、本発明の実施例の補整用下着であるボディシェイパー１である。ボディシェイパー１は、一対のストラップ部２、胸部３、前側において胸部３との境界から腹部近傍に至り、後側において肩甲骨９の上側近傍から腰部近傍に至る第一強緊締部４、後側においてストラップ部２の首刳りライン２Ａと強緊締部４の間に設けられた一対の第二強緊締部５、一対の第二強緊締部５の間に設けられた背側上部６、前側において腹部近傍から裾部に至り、後側において腰部近傍から裾部に至る下側部７からなる。ここで、近傍とは、その位置、あるいは若干位置がずれていても、本発明の目的を達成することができ、本発明の作用効果を奏することができる範囲をいうものとする。
【００１２】
ボディシェイパー１は、伸縮性のある生地からなるが、各部分において伸縮性と緊締力が異なる。本実施例のボディシェイパー１においては、第一強緊締部４と第二強緊締部５の緊締力が強く、それ以外の部分においては、第一強緊締部４と第二強緊締部５の緊締力より弱くなっている。
【００１３】
第一強緊締部４は、前側において胸部３との境界から腹部近傍に至る前側第一強緊締部４Ａと、後側において肩甲骨の上側近傍から腰部近傍に至る後側第一強緊締部４Ｂからなる。前側第一強緊締部４Ａと後側第一強緊締部４Ｂは、脇部において縫着され、さらに、それぞれが、中心線に対して左右対称となるように縫着されている。従って、第一強緊締部４は四つの生地が縫着されてなる。
【００１４】
一対のストラップ部２は、前側の胸部３との境界から後側第一強緊締部４Ｂの上縁まで至る。ストラップ部２と前側の胸部３同じ生地からなり、それぞれの間に縫い目を設けることなく連続している。ストラップ部２と後側第一強緊締部４Ｂの上縁は、緊締力の異なる生地からなり、その境界において縫着されている。なお、ストラップ部２と胸部３は、縦方向（図１中、上下方向）に伸びやすくなっている。
【００１５】
さらに、第一強緊締部４の肌側には、複数本の伸縮性のテープ８が、一定の間隔を置いて縫着されている。テープ８は、第一強緊締部４より緊締力が強く、前側第一強緊締部４Ａの腹部近傍から脇部に向かって斜め上に延び、さらに、後側第一強緊締部４Ｂにおいて、脇部から背中の中心部に向かって斜め上に延びる。
【００１６】
本実施例では、４本のテープが縫着されており、一番上にあるテープ８１は、着用時に、鳩尾近傍から肩甲骨９の上下方向の真中近傍まで至るようになっている。一番下にあるテープ８４は、着用時に、腹部の真中からやや脇部よりの箇所から、肋骨の第１０胸椎１１０を通って、背中の真中近傍に至る。本実施例では、テープ８は４本であるが、必ずしも４本でなくともよい。
テープ８は、着用時に肋骨に作用するように所定の間隔をあけて略平行に設けられている。本実施例では、２．５センチ程度間隔をあけている。
【００１７】
前側第一強緊締部４Ａにおいては縞模様がテープ８と略平行（図２中、斜め方向）に形成され、後側第一強緊締部４Ｂにおいては縞模様が略横方向（図２中、左右方向）に形成され、着用時の滑り止めとして作用している。すなわち、前側第一強緊締部４Ａにおいては、生地の畝方向が斜め方向（図２中、斜め方向）であり、後側第一強緊締部４Ｂにおいては、生地の畝方向が横方向（図２中、左右方向）である。
よって、前側第一強緊締部４Ａは略斜め方向に伸びやすく、後側第一強緊締部４Ｂは略横方向に伸びやすい。このため、前側第一強緊締部４Ａは、横方向に伸びても元の状態に戻る力が強く働く。後側第一強緊締部４Ｂは、前側第一強緊締部４Ａに比べると、元の状態に戻る力が弱い。
【００１８】
第二強緊締部５は、ストラップ部２の首刳りライン２Ａと強緊締部４の間に設けられている。第二強緊締部５は、第一強緊締部４に比べると極めて小さい。第二強緊締部５は、第一強緊締部４と同じ緊締力を有するが、生地の伸びる方向が異なる。前側強緊締部４Ａと後側第一強緊締部４Ｂの伸びる方向は、前述の通りである。一方、第二強緊締部５にも複数の縞模様があり、第二強緊締部５は、縦方向（図２中、上下方向）に伸び難くなっている。
これにより、ボディシェイパー１の着用時に、着用者の身体を内側に締める力（第一強緊締部４による力）と、後方向に引く力（第一強緊締部５による力）が発生する。
【００１９】
また、第二強緊締部５の中心部に背側上部６を設けてもよい。
背側上部６は、首刳りライン２Ａと一対の第二強緊締部５で囲まれた箇所で、着用時に、背中の最上部近傍に位置する。背側上部６は、第一強緊締部４及び第二強緊締部５よりも緊締力が弱い。これにより、第二強緊締部５による身体を後側に引っ張る力が強すぎず、第二強緊締部５のボディシェイパー１の着用時に拘束感や窮屈感を与えることがない。この場合、図２のように、第二強緊締部５は略三角形状となる。
【００２０】
下側部７は、前側において腹部近傍から裾部に至り、後側において腰部近傍から裾部に至り、第一強緊締部４及び第二強緊締部５より緊締力が弱い。下側部７は、前側において、腹部７１と側部７２からなる。後側においては、中心線に対して対称な一対の腰部７３からなる。腹部７１において生地が二重となっており腹押さえの機能を有している。腹部７１は、上半分が三角形状７１Ａで、下半分が略台形状７１Ｂとなっている。なお、下側部７は、裾部がヘムとなっており、横方向に伸びやすい。
本実施例では、上半分が三角形状７１Ａとなっているが、この部分が第一強緊締部４であってもよい。
【００２１】
三角形７１Ａの二辺は前側第一強緊締部４Ａと縫着され、他の一辺は台形７１Ｂの上底と連続している。台形７１Ｂは、上底が長く下底が短くなっており、他の二辺は側部７２と縫着されている。
【００２２】
本実施例のボディシェイパー１では、ストラップ部２、胸部３、背側上部６、下側部７は、サテンネットからなり、いずれも同一の緊締力からなる。ストラップ部２、胸部３、腹部７１は生地が二重となっており、他の部分よる緊締力が強い。
【００２３】
第一強緊締部４と第二強緊締部５もサテンネットからなるが、ストラップ部２、胸部３、背側上部６、下側部７よりも緊締力が強い。第一強緊締部４のサテンネットには、特定方向に多数の縞模様が形成され、着用時の滑り止めの作用を成している。前側第一強緊締部４Ａにおいては、テープ８に平行な縞模様が形成され、後側第一強緊締部４Ｂにおいては、略横方向（図２において左右方向）に形成されている。第二強緊締部５のサテンネットにも、複数の縞模様が特定方向に形成されている。
【００２４】
テープ８は、伸縮性のナイロンポリウレタンテープであり、第一強緊締部４より緊締力が強く、着用時に肋骨を内側に締める作用を成している。
【００２５】
本実施例のボディシェイパー１では、上記の構成となっているが、この構成に限定されないのは当然である。本実施例のボディシェイパー１ではサテンネットを用いているが、サテンネット以外の伸縮性生地であってもよい。さらに、テープ８は、伸縮性のテープであれば、ナイロンポリウレタンテープでなくてもよい。
【００２６】
また、本実施例では、ストラップ部２、胸部３、背側上部６、下側部７は、いずれも同一の緊締力からなるが、必ずしも同一の緊締力ではなくてもよい。例えば、特定部分において、編みを変えたり、生地を重ね合わせて、緊締力を変えてもよい。さらに、本実施例では、いずれも同一の生地からなるが、特定部分の生地を他の生地としてもよい。
【００２７】
前述のように、加齢によるウエストの緩みや、前傾姿勢による肋骨の開きにより、ウエストの括れがなくなる。また、老廃物が骨の間に溜まることにより、肋骨が開くこともある。本発明のボディシェイパー１を着用することにより、テープ８が、肋骨を内側に締め、ウエストに括れを作るように作用する。
以下、着用時の作用について説明する。
【００２８】
ボディシェイパー１を着用すると、第二強緊締部５が着用者の身体を後側へ引っ張る力が働き、猫背となった姿勢を正す。さらに、前述のように、前側第一強緊締部４Ａは、横方向に伸びても元の状態に戻る力が強く働くので、着用する時に横方向に伸びても、着用後は元の状態に戻る力が働き体を内側に締めようとする。
【００２９】
これと共に、姿勢を正した状態で、４本の緊締力の強い伸縮性のテープ８が、肋骨に直接作用して肋骨を内側に締める。例えば、一番上のテープ８１は第３肋骨１０３に作用し、上から二番目のテープ８２は第５肋骨１０５、上から三番目のテープ８３は第７肋骨１０７、一番下のテープ８４は第１０肋骨１１０に作用する。これらは、着用者の体格によって異なる。
【００３０】
この時、後側第一強緊締部４Ｂは、元の状態に戻ろうとする力が前側第一強緊締部４Ａほど強く働かないので、着用時にゆとりができ、必要以上の締め付けを防いでいる。
【００３１】
肋骨が内側に締められることにより、ウエストに括れが形成される。この時、前側第一強緊締部４Ａと後側第一強緊締部４Ｂには特定方向に沿った多数の縞模様が形成され、着用時に滑り止めの機能も果たしている。よって、肋骨を締めた状態が固定されているので、身体を動かしても、ボディシェイパー１が適切な着用状態からずれることが少なくなる。
【００３２】
背側上部６の緊締力が、第一強緊締部４と第二強緊締部５より弱いので、第二強緊締部５による身体を後側に引っ張る力が強すぎず、着用時に拘束感や窮屈感を与えることがない。
【００３３】
なお、本発明は、上記の実施例に限定されるものではなく、同じ効果を有するボディシェイパーであれば、上記の実施例と異なるものにも適用される。
【００３４】
このように、本発明のボディシェイパー１を着用することにより、ウエストに括れができ、美しいウエストラインが形成される。
【符号の説明】
【００３５】
１  ボディシェイパー
２  ストラップ部
３  胸部
４  第一緊締部
５  第二緊締部
６  背側上部
７  下側部
８  テープ
９  肩甲骨
１００  肋骨
【図１】
2014214393.tif 000003
【図２】
2014214393.tif 000004
【図３】
2014214393.tif 000005
【図４】
2014214393.tif 000006
【図５】
2014214393.tif 000007
【図６】
2014214393.tif 000008